(57)【要約】【課題】ポインタの照射位置の確認を的確にするとともに、従来の拡大読書器を改良してより使い勝手をよくする。【解決手段】拡大読書器１は、点灯する照明ランプ１５ａ，１５ｂに照明されたテーブル６上に載置された本や書籍や書類等の読み取り対象物を、ビデオカメラ装置１２により撮影してモニターテレビ装置２４に拡大表示する。点灯ボタン１８によりＬＥＤ照射ランプをオンすると、これに連動して照明ランプ１５ａ，１５ｂがオフされる。ＬＥＤ照射ランプは、テーブル６上のビデオカメラ１２の撮影範囲の略中心若しくは所定領域を照射するから、これを基準として装着板５及びテーブル６を前後及び左右に移動させて、読み取り対象物の読み取り部位がビデオカメラ１２の撮影範囲に入るようにする。また、手暗がりにならないように、右利き又は左利きの人に応じて左右に配置した照明ランプ１５ａ，１５ｂの何れか一方をオフすることもできる。【選択図】図１
2005175677.tif 000002
【特許請求の範囲】
【請求項１】
基台に配置した読み取り対象物を載せるテーブルと、該テーブルの上方に配置したビデオカメラ装置と、前記テーブル上の読み取り対象物を照明する照明ランプと、前記ビデオカメラ装置の撮影位置を照射するポインタとからなる拡大読書器本体と、前記ビデオカメラ装置から送出される撮影画像を表示するモニターテレビ装置とから構成し、
前記ポインタによる撮影位置の照射に連動して、前記照明ランプの照明照度を前記ポインタの照射照度よりも減少させるようにしたことを特徴とする拡大読書器。
【請求項２】
前記ポインタは、ビデオカメラ装置の撮影対象範囲内の所定領域を照射するようにしたことを特徴とする請求項１に記載の拡大読書器。
【請求項３】
前記テーブルは、前後及び左右に移動可能としたことを特徴とする請求項１又は請求項２に記載の拡大読書器。
【請求項４】
前記照明ランプは、略左側上方からと略右側上方からテーブル上の読み取り対象物を照明するようにして、何れか一方のみを点灯できるようにしたことを特徴とする請求項１乃至請求項３に記載の拡大読書器。
【請求項５】
前記ビデオカメラ装置と照明ランプ及びポインタとを筐体内に組み込むとともに、基台に設けた支持アームにより前記テーブルの上方に配置し、該筐体の上面に前記モニターテレビ装置を載置できるようにしたことを特徴とする請求項１乃至請求項４に記載の拡大読書器。
【発明の詳細な説明】
【技術分野】
【０００１】
本発明は、拡大読書器に関するものである。
【背景技術】
【０００２】
特開２０００−３３３０４２号公報に示すように、拡大読書器においてモニター画面に映し出される拡大画面が、テーブルに載せられた読み取り対象物のどの位置に該当するかを照射して示すポインタを備えたものがある。拡大読書器は、一般に低視力者の利用に供せられるものであり、照明ランプによりテーブルの読み取り対象物が照明されている。
【０００３】
しかしながら、視力低下を来している低視力者の場合には、その照明を眩しく感じるという傾向がある。従って、ポインタによる撮影位置の照射と照明ランプによる照明とを同時に行うと、ポインタの照射位置の確認が困難となる問題点があった。このため、拡大読書器を利用して読み取ったり書類等に記入したりする場合に、読み取り対象位置を的確に撮影対象範囲内に入れることが難しく使い勝手がよくなかった。
【０００４】
また、低視力者の中には色覚異常を併発している場合が少なくないため、照射位置の確認のために色による判別を求めることは不適切となる。この場合、点滅による輝度の変化によって判別を求めることが有用であると考えられる。
【特許文献１】特開２０００−３３３０４２号公報
【発明の開示】
【発明が解決しようとする課題】
【０００５】
解決しようとする問題点は、低視力者にとってポインタによる撮影位置の照射と照明ランプによる照明とを同時に行うと、ポインタの照射位置の確認が困難となる点である。
【課題を解決するための手段】
【０００６】
上記問題点を解決するための請求項１に記載の拡大読書器は、基台に配置した読み取り対象物を載せるテーブルと、該テーブルの上方に配置したビデオカメラ装置と、前記テーブル上の読み取り対象物を照明する照明ランプと、前記ビデオカメラ装置の撮影位置を照射するポインタとからなる拡大読書器本体と、前記ビデオカメラ装置から送出される撮影画像を表示するモニターテレビ装置とから構成し、前記ポインタによる撮影位置の照射に連動して、前記照明ランプの照明照度を前記ポインタの照射照度よりも減少させるようにしたことを特徴とする。
【０００７】
請求項２に記載の拡大読書器は、請求項１に記載の構成において、前記ポインタは、ビデオカメラ装置の撮影対象範囲内の所定領域を照射するようにしたことを特徴とする。
【０００８】
請求項３に記載の拡大読書器は、請求項１又は請求項２に記載の構成において、前記テーブルは、前後及び左右に移動可能としたことを特徴とする。
【０００９】
請求項４に記載の拡大読書器は、請求項１乃至請求項３に記載の構成において、            前記照明ランプは、略左側上方からと略右側上方からテーブル上の読み取り対象物を照明するようにして、何れか一方のみを点灯できるようにしたことを特徴とする。
【００１０】
また、請求項５に記載の拡大読書器は、請求項１乃至請求項４に記載の構成において、前記ビデオカメラ装置と照明ランプ及びポインタとを筐体内に組み込むとともに、基台に設けた支持アームにより前記テーブルの上方に配置し、該筐体の上面に前記モニターテレビ装置を載置できるようにしたことを特徴とする。
【発明の効果】
【００１１】
請求項１に記載の拡大読書器によれば、ポインタによる撮影位置の照射に連動して、照明ランプの照明照度がポインタの照射照度よりも減少するから、ポインタの照射位置の確認が容易となって、ビデオカメラ装置の撮影位置と読み取り対象物の読み取り部位を簡単に合わせることができ、低視力者にとって拡大読書器の使い勝手が向上する。
【００１２】
請求項２に記載の拡大読書器によれば、ポインタがビデオカメラ装置の撮影対象範囲内の所定領域を照射するから、読み取り対象位置を的確にビデオカメラ装置の撮影対象範囲内に入れることができる。
【００１３】
請求項３に記載の拡大読書器によれば、読み取り対象物を載せるテーブルが前後及び左右に移動可能であるから、読み取り対象位置とポインタの照射位置とを容易に合致させることができ、拡大読書器の使い勝手が向上する。
【００１４】
請求項４に記載の拡大読書器によれば、照明ランプが略左側上方からと略右側上方からテーブル上の読み取り対象物を照明する２種類の照明ランプを備え、切替えスイッチにより何れか一方のみを点灯できるから、書類等に記入する際に記入者が右利きであっても左利きであっても、手暗がりになることを回避できる。
【００１５】
請求項５に記載の拡大読書器によれば、ビデオカメラ装置と照明ランプ及びポインタと組み込んで、支持アームによりモニターテレビ装置を該テーブルの上方に配置した筐体の上面に載置できるようにしたから、ポインタの照射位置とモニターテレビの画面間での視線の移動が少なくなり、拡大読書器の使い勝手が向上する。また、筐体に上面に載置したモニターテレビ装置を取り外すことができ、拡大読書器の移動や設置が容易に可能となる。
【発明を実施するための最良の形態】
【００１６】
拡大読書において、ポインタの照射位置の確認を的確にするとともに、従来の拡大読書器を改良してより使い勝手をよくするという目的を、ポインタによる撮影位置の照射に連動して、照明ランプの照明照度をポインタの照射照度よりも減少させるようにすることで実現した。
【実施例】
【００１７】
本発明の１実施例について添付図面を参照して説明する。図１は拡大読書器１の正面図、図２は拡大読書器本体２の斜視図、図３は同、側面図である。拡大読書器本体２には、読み取り対象物を載置するテーブル装置３が配設されている。テーブル装置３は、基台４上に被着される装着板５と、該装着板５上に設置されたテーブル６とから構成されている。
【００１８】
装着板５は基台４上に固定した前後方向のクロススライド機構（図示せず）により、前後に移動可能に設置されている。またテーブル６は、装着板５上に固定した左右方向のクロススライド機構（図示せず）により左右に移動可能に設置されている。基台４には、装着板５の前後方向の移動を止めるブレーキ摘み４ａが、装着板５には、テーブル６の左右方向の移動を止めるブレーキ摘み５ａがそれぞれ取り付けられている。これにより、拡大読書器１の設置面が傾斜していたり、拡大読書器本体２の搬送時に、装着板５やテーブル６がむやみに移動できないようにすることができる。
【００１９】
拡大読書器本体２の基台４の両側下面には、支持アーム７の取付基部８が固定されている。支持アーム７は、取付基部８の後端から直角に起立する垂直部９が設けられ、該垂直９の上端を屈曲させて前方へ延びる水平支持部１０により、カメラ筺体１１がテーブル装置３のテーブル６の上方に支持固定されている。
【００２０】
カメラ筺体１１には、ビデオカメラ装置１２、制御回路１４が組み込まれるとともに、照明ランプ１５ａ，１５ｂ及びポインタであるＬＥＤ照射ランプ１６が取り付けられている。ビデオカメラ装置１２は、レンズ鏡筒１３がカメラ筐体１１の下面から突出する略垂直下向き姿勢で取り付けられている。制御回路１４は、後述する切替回路２５を含み、所定のスイッチ入力に基づきビデオカメラ装置１２を制御したり、照明ランプ１５やＬＥＤ照射ランプ１６のオン・オフを制御する。
【００２１】
照明ランプ１５ａ，１５ｂは、それぞれカメラ筐体１１の左右の両側下面に取り付けられテーブル６上を照明するもので、カメラ筐体１１の左右両側面に取り付けられた点灯スイッチ１７ａ，１７ｂによりオン・オフされる。また、ＬＥＤ照射ランプ１６は、テーブル６上のビデオカメラ１２の撮影範囲の略中心を照射するように配置され、カメラ筐体１１の前面に配置した点灯ボタン１８によりオン・オフされる。
【００２２】
その他、カメラ筐体１１の前面には、電源スイッチ１９、画面切替／コントラスト調節ツマミ２０、中心にオートフォーカスボタン２１を設けたズーム調節ツマミ２２等が配置されている。そして、照明ランプ１５ｂの点灯スイッチ１７ｂの奥には、フォーカス調節スイッチ２３が配置されている。また、カメラ筐体１１の裏面には、電源ケーブル、ビデオ出力端子、ＡＣアウトレット、接地端子等（何れも図示しない）が配置されている。このカメラ筐体１１の上面には、図３に示すようにモニターテレビ装置２４を載置して固定する。モニターテレビ装置２４の固定は、締着バンド或いは締着ネジ等を用いて行う。
【００２３】
上記照明ランプ１５ａ，１５ｂは、図４に示すように該照明ランプ１５ａ，１５ｂが点灯している場合に、点灯ボタン１８によりＬＥＤ照射ランプ１６がオンされると、これに連動して切替回路２５により照明ランプ１５ａ，１５ｂがオフされるようになっている。この場合、照明ランプ１５ａ，１５ｂの照度を落として、ＬＥＤ照射ランプ１６の照度よりも減少させるようにしてもよい。また、図５に示すようにＬＥＤ照射ランプ１６により、ビデオカメラ装置１２の撮影対象範囲内の所定領域Ａを照射するようにしてもよい。
【００２４】
上記構成の拡大読書器１は、点灯する照明ランプ１５ａ，１５ｂに照明されたテーブル６上に載置された本や書籍や書類等の読み取り対象物を、ビデオカメラ装置１２により撮影してモニターテレビ装置２４に拡大表示する。この場合、点灯ボタン１８によりＬＥＤ照射ランプ１６をオンすると、これに連動して切替回路２５により照明ランプ１５ａ，１５ｂがオフされる。ＬＥＤ照射ランプ１６は、テーブル６上のビデオカメラ１２の撮影範囲の略中心若しくは所定領域Ａを照射するから、これを基準として装着板５及びテーブル６を前後及び左右に移動させて、読み取り対象物の読み取り部位がビデオカメラ１２の撮影範囲に入るようにする。
【００２５】
そして、ポインタであるＬＥＤ照射ランプ１６によるビデオカメラ装置１２の撮影位置の照射に連動して、照明ランプ１５ａ，１５ｂがオフする。従って、ＬＥＤ照射ランプ１６のみの照射光により照射位置の確認が容易となる。これにより、ビデオカメラ装置１２の撮影位置と読み取り対象物の読み取り部位を簡単に合わせることができるから、低視力者にとって拡大読書器１の使い勝手が向上する。
【００２６】
また、ＬＥＤ照射ランプ１６のビデオカメラ装置１２の撮影対象範囲内の所定領域Ａを照射することにより、読み取り対象位置を的確かつ迅速にビデオカメラ装置１２の撮影対象範囲内に入れることができる。そして、読み取り対象物を載せるテーブル６が前後及び左右に移動可能であるから、読み取り対象位置とＬＥＤ照射ランプ１６の照射位置とを容易に合致させることができ、拡大読書器１の使い勝手がより向上する。
【００２７】
さらに、略左側上方からと略右側上方からテーブル６上の読み取り対象物を照明する２個の照明ランプ１５ａ，１５ｂを備え、何れか一方のみを点灯できるから、書類等に記入する際に記入者が右利きであっても左利きであっても、手暗がりになることを回避できる。そして、ビデオカメラ装置１２、制御回路１４、照明ランプ１５ａ，１５ｂ及びＬＥＤ照明ランプ１６を組み込んだカメラ筐体を、支持アーム７の水平支持部１０によりテーブル６の上方に配置して、該カメラ筐体１１の上面にモニターテレビ装置２５を載置できるようにしたから、ＬＥＤランプ１６の照射位置とモニターテレビ画面間での視線の移動が少なくなり、拡大読書器１の使い勝手が向上する。また、カメラ筐体１１に上面に載置したモニターテレビ装置２４を取り外すことができ、拡大読書器１の移動や設置が容易にできる。
【図面の簡単な説明】
【００２８】
【図１】拡大読書器１の正面図である。
【図２】拡大読書器本体２の斜視図である。
【図３】同、側面図である。
【図４】照明ランプとＬＥＤ照射ランプの切替回路を示した説明図である。
【図５】照射領域を示す説明図である。
【符号の説明】
【００２９】
１...拡大読書器
２...拡大読書器本体
３...テーブル装置
６...テーブル
７...支持アーム
１０...水平支持部
１１...カメラ筐体
１２...ビデオカメラ装置
１４...制御回路
１５ａ，１５ｂ...照明ランプ
１６...ＬＥＤ照射ランプ（ポインタ）
２４...モニターテレビ装置
２５...切替回路
Ａ...照射領域
【図１】
2005175677.tif 000003
【図２】
2005175677.tif 000004
【図３】
2005175677.tif 000005
【図４】
2005175677.tif 000006
【図５】
2005175677.tif 000007